(57)【要約】      （修正有）【課題】コネクタへの分岐電線の配索作業を簡略化できるプロテクタを提供する。【解決手段】プロテクタ１は、本体２に収容したワイヤーハーネスからの分岐電線４１を、本体に形成された開口２２から引き出して本体の上外面に装着されたコネクタ４に接続し、コネクタ及び開口に本体の外面側からカバー３を被せるように構成されている。本体の上外面には、開口の一縁に沿って形成されてコネクタ及び開口に被せられるカバーをガイドする電線規制部５が備えられている。電線規制部は、開口に沿って延びた後、本体の上外面上でＬ字状に屈曲しており、カバーの右壁面及び後壁面をガイドする。【選択図】図１
2010124656.tif 000002
【特許請求の範囲】
【請求項１】
本体に収容したワイヤーハーネスからの分岐電線を、前記本体に形成された開口から引き出して前記本体の外面に装着されたコネクタに接続し、前記コネクタ及び前記開口に前記外面側からカバーを被せるように構成されたプロテクタであって、
前記外面には、前記コネクタ及び前記開口に被せられる前記カバーをガイドする電線規制部が、前記開口の一縁に沿って形成されていることを特徴とするプロテクタ。
【請求項２】
前記電線規制部は、前記一縁に沿って延びた後、前記外面上でＬ字状に屈曲しており、
前記カバーの隣り合う２つの壁面をガイドすることを特徴とする請求項１に記載のプロテクタ。
【発明の詳細な説明】
【技術分野】
【０００１】
本発明は、本体に収容したワイヤーハーネスからの分岐電線を、本体に形成された開口から引き出して本体の外面に装着されたコネクタに接続し、コネクタ及び開口に本体の外面側からカバーを被せるように構成されたプロテクタに関する。
【背景技術】
【０００２】
下記の特許文献１に記載のプロテクタは、断面Ｕ字状のワイヤーハーネス収容部と、ワイヤーハーネス収容部を拡幅させて構成されたコネクタ収容部とを備えている。コネクタ収容部には、ワイヤーハーネスからの分岐電線の接続に用いるコネクタが収容される。コネクタ収容部の一側壁には、コネクタ収容部用カバーが設けられている。また、コネクタ収容部と反対側のワイヤーハーネス収容部の一側壁には、ワイヤーハーネス収容部用カバーが設けられている。
【０００３】
プロテクタ本体にワイヤーハーネス及びコネクタを収容する場合には、まず、ワイヤーハーネスをワイヤーハーネス収容部に収容し、分岐電線をプロテクタ本体の外側に出しておく。そして、ワイヤーハーネス収容部用カバーでワイヤーハーネス収容部の一部を閉鎖した後、分岐電線をワイヤーハーネス収容部内に収容する。次に、コネクタをコネクタ収容部に収容した後、コネクタ収容部用カバーでコネクタ収容部を閉鎖し、ワイヤーハーネス収容部用カバーでワイヤーハーネス収容部の残りを閉鎖する。
【０００４】
【特許文献１】特開平８−２２２８６７号公報
【発明の開示】
【発明が解決しようとする課題】
【０００５】
プロテクタには、ワイヤーハーネス収容部となる本体に収容されたワイヤーハーネスからの分岐電線を、本体に形成された開口から引き出して本体の外面に装着されたコネクタに接続し、コネクタ及び開口に本体の外面側からカバーを被せるものがある。この種のプロテクタでは、開口から引き出された電線がカバーと本体との間に挟まれないように、分岐電線を抑えながら配索を行う必要があり、配索作業が煩雑であった。
【０００６】
本発明は斯かる課題に鑑みてなされたもので、上記課題を解決できるプロテクタを提供することを目的とする。
【課題を解決するための手段】
【０００７】
このような目的を達成するために、本発明のプロテクタは、本体に収容したワイヤーハーネスからの分岐電線を、前記本体に形成された開口から引き出して前記本体の外面に装着されたコネクタに接続し、前記コネクタ及び前記開口に前記外面側からカバーを被せるように構成されたプロテクタであって、前記外面には、前記コネクタ及び前記開口に被せられる前記カバーをガイドする電線規制部が、前記開口の一縁に沿って形成されていることを特徴とする。
また、本発明は、前記電線規制部が、前記一縁に沿って延びた後、前記外面上でＬ字状に屈曲しており、前記カバーの隣り合う２つの壁面をガイドすることを特徴とする。
【発明の効果】
【０００８】
本発明によれば、開口の一縁に沿って本体の一面に形成された電線規制部で電線の飛び出しが規制されることから、本体とカバーとで電線が挟まれるのを防止できる。また、コネクタに被せられるカバーを電線規制部がガイドすることから、プロテクタに対するカバーの位置決めの手間も軽減できる。従って、コネクタへの分岐電線の配索作業を簡略化できる。
【発明を実施するための最良の形態】
【０００９】
以下、図面を参照して、本発明の最良の形態を説明する。
図１は、本実施形態のプロテクタ１を示す前方からの斜視図である。なお、以下の説明で用いる上下，前後，及び左右の各方向は説明に用いる各図に示している。この上下，前後，左右は説明のために記載したもので、実際の配置と異なってよいことはもちろんである。
【００１０】
図１（ａ）に示すように、プロテクタ１は、略扁平四角箱状を呈した本体２の右前の角部の上外面にコネクタ４の装着部２３を備えている。コネクタ４は、プロテクタ１に収納したワイヤーハーネスからの分岐電線４１を、右側から延出させて装着部２３に装着される。装着部２３と本体２の右縁との間に位置する本体２の上外面には、分岐電線４１をプロテクタ１の本体２から引き出すための開口２２が設けられている。開口２２は、本体２の右縁に沿って本体２の前縁から後方に延びている。
【００１１】
装着部２３の前後及び右の側方に位置する本体２の上外面には、コネクタ４のカバー３を本体２に固定するための係止部２１が設けられている。本体２に固定されるカバー３は、左面から下面にかけてを開放させた略四角箱状を呈しており、係止部２１に係止される被係止片３１を前後及び右の各側板の下縁に備えている。
【００１２】
装着部２３の後方から右方にかけての装着部２３の周囲には、分岐電線４１を開口２２内に納めるための電線規制部５が設けられている。電線規制部５は、開口２２の右縁に沿って前後方向に延びた右板５１と、右板５１の後端から左方への屈曲部を介して右板５１と連なって左方に延びた後板５２とから構成されて、平板体を略Ｌ字に屈曲させた概略形状を有している。
【００１３】
右板５１は装着部２３の右方の係止部２１に近接して該係止部２１の左側に位置し、後板５２は装着部２３の後方の係止部２１に近接して該係止部２１の前側に位置している。開口２２から引き出された分岐電線４１は、電線規制部５の右板５１により右側面を押え付けられ、左方に屈曲してコネクタ４に接続されている。
【００１４】
図１（ａ）に太矢印で示すように、装着部２３に装着されたコネクタ４及び開口２２を上方から覆うようにカバー３を被せると、電線規制部５が備える右板５１の右面及び後板５２の後面と、カバー３が備える後板の内面及び右板の内面とが合わさり、カバー３の下方への移動が電線規制部５にガイドされる。電線規制部５にガイドされてカバー３が下方への移動を続けると、カバー３の被係止片３１が本体２の係止部２１に係合してロック部６を構成し、図１（ｂ）に示すようにカバー３が本体２に固定される。
【００１５】
以上説明したように、本実施形態によれば、開口２２に沿って本体２の上外面に形成された電線規制部５で分岐電線４１が開口２２内に納められることから、本体２の上外面とカバー３とで分岐電線４１が挟まれるのを防止できる。また、コネクタ４に被せられるカバー３を電線規制部５がガイドすることから、本体２の上外面に対するカバー３の位置決めの手間も軽減できる。従って、コネクタ４への分岐電線４１の配索作業を簡略化できる。
【００１６】
また、本実施形態によれば、開口２２に沿って延びた後に本体２の上外面上でＬ字状に屈曲した電線規制部５が、カバー３の隣り合う２つの壁面をガイドすることから、本体２の上外面に対するカバー３の位置決めの手間を更に軽減し、コネクタ４への分岐電線４１の配索作業をより簡略化できる。
【００１７】
なお、上記実施形態では、コネクタ４のカバー３が左面から下面にかけてを開放させた略四角箱状を呈している場合について説明した。しかしながら、カバー３の形状はこれに限られず、コネクタ４の設置位置等に応じた形状に形成することができ、例えば、下面のみを開放させた略四角箱状を呈していてもよい。また、係止部２１は電線規制部５と一体に形成されていてもよい。
【００１８】
また、カバー３が前後及び右の各側板の下縁に被係止片３１を備えている場合について説明したが、被係止片３１の数量及び形成位置は任意であり、例えば、カバー３の前後及び右の各側板に複数の被係止片３１が形成されていてもよい。
【図面の簡単な説明】
【００１９】
【図１】本発明の一実施形態のプロテクタを示す前方からの斜視図である。
【符号の説明】
【００２０】
１        プロテクタ
２        本体
２１      係止部
２２      開口
２３      装着部
３        カバー
３１      被係止片
４        コネクタ
４１      電線
５        電線規制部
５１      右板
５２      後板
【図１】
2010124656.tif 000003